(57)【要約】  【課題】管壁と中間生成物、生成物との相互作用を絶ちながら複数の原料溶液を混合・反応を行わせ、微細流路内の流速分布を生じさせないナノ粒子製造装置を提供する。  【解決手段】  反応溶液で充填した微細流路３を有するマイクロリアクタ１を搬送路１２によって搬送し、微細流路３をオイルバス１５の中に入れて加熱し反応を行わせる。反応後は、オイルバス１５から微細流路３を取り出して、急冷する。微細流路等の微細な反応器を搬送路によって、温度制御された帯域を搬送しながらナノ粒子を連続的に製造することが可能になった。  【選択図】      図１
2007014849.tif 000002
【特許請求の範囲】
【請求項１】
代表長さ１μｍ〜１ｍｍの反応器に、ナノ粒子の製造に必要な溶液を供給し、前記溶液が前記反応器に導入された後に前記溶液が静止した状態で、前記反応器が温度制御手段で温度制御された帯域中を移動するように、前記反応器と前記帯域とを搬送手段によって相対的に移動しながら、反応を行わせる
ことを特徴とするナノ粒子製造方法。
【請求項２】
請求項１に記載のナノ粒子製造方法において、
前記帯域は、前記反応の開始温度までに加熱して温度制御された加熱帯域と、前記加熱帯域で行われた反応を急冷するための冷却帯域とからなり、
前記反応器が前記加熱帯域中を搬送されるように、前記反応器と前記加熱帯域とを前記搬送手段によって相対的に移動しながら、前記反応を行わせた後、前記反応器と前記冷却帯域とを前記搬送手段によって相対的に移動しながら前記反応器を急冷する
ことを特徴とするナノ粒子製造方法。
【請求項３】
請求項１又は２に記載のナノ粒子製造方法において、
前記反応器は、前記代表長さの内径を持つ管、前記代表長さの直径を持つ線、前記代表長さの厚さを持つ薄膜、及び前記代表長さの細孔の中から選択される１つの微細空間である
ことを特徴とするナノ粒子製造方法。
【請求項４】
請求項１から３の中から選択される１項に記載のナノ粒子製造方法において、
前記溶液を前記反応器に供給して前記溶液の２以上の層を形成し、前記反応は前記層間の拡散反応によって行われる
ことを特徴とするナノ粒子製造方法。
【請求項５】
請求項１又は２に記載のナノ粒子製造方法において、
前記反応器は、前記代表長さの内径を有する微細流路からなり、前記微細流路に接続された複数の試料供給流路から、前記溶液を、前記複数の試料供給路の断面積の和より小さい断面積の前記微細流路に層流で供給し、前記溶液の前記層流を維持した状態で混合し反応させ、前記微細流路で反応を行わせた後、前記反応後の反応生成物を、前記微細流路と接続された試料排出流路から排出させる
ことを特徴とするナノ粒子製造方法。
【請求項６】
代表長さ１μｍ〜１ｍｍの反応器に、ナノ粒子の製造に必要な溶液を供給するための溶液供給手段と、
前記供給を停止させた状態で、前記溶液の反応を行わせるための前記反応器と、
前記反応器を加熱又は冷却して温度制御するための温度制御手段と、
前記温度制御手段によって温度制御された帯域と、
前記反応器とを相対的に移動するための搬送手段と
からなるナノ粒子製造装置。
【請求項７】
請求項６に記載のナノ粒子製造装置において、
前記帯域は、前記反応の開始温度までに前記反応器を加熱するための加熱帯域と、前記加熱帯域で行われた反応を急冷するための冷却帯域とからなり、
前記搬送手段は、前記加熱帯域中を移動しながら反応を行わせた後、前記冷却帯域中を相対的に移動しながら急冷するように、前記反応器を前記加熱帯域と前記冷却帯域を交互に移動しながら反応を行わせる
ことを特徴とするナノ粒子製造装置。
【請求項８】
請求項６又は７に記載のナノ粒子製造装置において、
前記反応器は、前記代表長さの内径を持つ管、前記代表長さの直径を持つ線、前記代表長さの厚さを持つ薄膜、及び前記代表長さの細孔の中から選択される１つの微細空間である
ことを特徴とするナノ粒子製造装置。
【請求項９】
請求項６又は７に記載のナノ粒子製造装置において、
前記溶液は、前記溶液供給手段から前記反応器に、２以上の層を形成するように供給され、前記反応は前記層間の拡散反応によって行われる
ことを特徴とするナノ粒子製造装置。
【請求項１０】
請求項６又は７に記載のナノ粒子製造装置において、
前記反応器は、前記代表長さの内径の微細流路からなり、ナノ粒子の製造に必要な３種類以上の前記溶液を層流で供給するため複数の試料供給流路と、前記試料供給流路に接続され、前記複数の試料供給路の断面積の和より小さい断面積を有する前記微細流路と、前記微細流路で反応が行われた後、前記反応後の反応生成物を排出させるために前記微細流路と接続された試料排出流路と
からなることを特徴とするナノ粒子製造装置。
【請求項１１】
請求項１０に記載のナノ粒子製造装置において、
前記試料供給流路はキャピラリからなり、
前記微細流路に接続されていない前記キャピラリの一端にはシリンジコネクタが接続されていて、
前記搬送中において、前記シリンジコネクタから前記溶液を前記キャピラリに供給して、前記微細流路内の反応を２次元的に制御する
ことを特徴とするナノ粒子製造装置。
【発明の詳細な説明】
【技術分野】
【０００１】
本発明は、ナノメータオーダの微細粒子を製造するナノ粒子製造方法及びナノ粒子製造装置に関する。更に詳しくは、化学反応用の微小構造体に関し、微小な空間で化学反応を行うマイクロリアクタを用いてナノメータオーダの微細粒子を製造するためのナノ粒子製造方法及びナノ粒子製造装置に関する。
【背景技術】
【０００２】
近年は、マイクロリアクタを用いた化学反応の効率化や、新規化合物の創製等を目的とする研究が注目されている。このマイクロリアクタは、サブマイクロメータからミリメータまでのオーダーの直径を有する狭い流路内で化学反応を起こすものである。流路内の液体の熱容量が小さくなるので、マイクロリアクタを構成する他部から流路への熱交換を速やかに行うことが可能になり、流路内の化学反応の温度制御が容易にできる。
【０００３】
また、マイクロリアクタは、流路内を流れている溶液層間の化学反応を制御することが可能なことから、化学合成、新規化合物の造成、各種の試料の分析や解析等に革新的な変革をもたらすものとして大きく期待されている。特許文献１には、内径１μｍ〜１ｍｍの微細流路を用いたナノ粒子の製造方法が開示されている。詳しくは、微細流路内に粒子形成用前駆体含有溶液を、連続的に供給しながら反応開始温度までに急速加熱し、反応を行わせた後、急速冷却して加熱温度と反応時間の制御をするものである。
【０００４】
特許文献２には、カオス式ミキサーが開示されている。カオス式ミキサーは、複数溶液の層流を３次元的に折り重ねることにより混合を行う。特許文献３には、試料液と試薬液をマイクロ反応本体部に注入し、ナノ材料攪拌子によって攪拌して混合し、反応を行うマイクロリアクタが開示されている。また、マイクロ反応本体部には加熱部と冷却部を設けて温度制御しながら試料液と試薬液の反応を行っている。
【０００５】
非特許文献１に示されたセラミックマイクロリアクタは、層流で流れている２種類の反応溶液でナノ粒子を生成している。非特許文献２のジグザグ形のチャネルは、２種類の溶液を注入して、ナノ粒子を生成している。
【特許文献１】特開２００３−２２５９００号公報
【特許文献２】特開２００４−２８３７９１号公報
【特許文献３】特開２００４−３２１０６３号公報
【非特許文献１】H.Wang et.al., Chem. Comm., pp. 1462-1463 (2002)
【非特許文献２】Paul J.A.Kenis et.al., Science, vol285,p83-85 (1999)
【発明の開示】
【発明が解決しようとする課題】
【０００６】
このように、マイクロリアクタの大きな特徴の一つとしてあげられるのは、管内の流れが層流であるために、バックミキシングが起こらず、反応溶液の滞留時間分布が狭く抑えられる点である。しかしながら、管内が層流であっても、壁との摩擦により流れと垂直な方向に流速分布ができるため、加熱時間に若干のばらつきが生じて生成されたナノ粒子の粒度分布が広がるという問題点がある。
【０００７】
また、マイクロリアクタをオイルバス等の中に配置して、反応を行わせてナノ粒子を生成している（特許文献１）。ナノ粒子をこのような方法で生産すると、マイクロリアクタを反応ごとに取り替えなければならない。また、複数の温度で反応を行わせようとするとき、マイクロリアクタを別々の温度に制御されているオイルバス等に移さなければならず、その自動化が望まれる。
【０００８】
特許文献１に記載されたナノ粒子の製造方法は、ナノ粒子を合成する際、予め２液を混合したり、ナノ材料攪拌子によって、試料溶液と、試薬溶液を強制的に攪拌したりし、その後加熱を行って生成物を得ている。この場合は、管の内壁と混合溶液が接触するために、接触により生じた生成物と、容器の壁面との相互作用が起きる場合も多い。
【０００９】
特許文献２に記載されたカオス式ミキサーは、基本的には層流を３次元的に折りたたむということを行うが、複雑な構造であるために、特に流速が高くなると部分的に乱流を起こしやすいという問題がある。特許文献３に記載されたナノ粒子の製造方法においては、ナノ粒子を合成する際、ナノ材料攪拌子によって、試料溶液と試薬溶液を、強制的に攪拌している。ナノ材料攪拌子によって、試料溶液と試薬溶液を、強制的に攪拌し乱流を起こして化学反応を制御している。
【００１０】
本発明は上述のような技術背景のもとになされたものであり、下記の目的を達成する。
本発明の目的は、ナノ粒子を製造するための微細な反応器が温度制御された帯域中を相対移動しながらナノ粒子を製造するナノ粒子製造方法及びナノ粒子製造装置を提供する。
【００１１】
本発明の他の目的は、ナノ粒子を製造するための反応溶液を内蔵又は付着させた微細な反応器が、温度制御された帯域中を相対移動しながら、均一の粒度分布を有するナノ粒子を製造する、ナノ粒子製造方法及びナノ粒子製造装置を提供する。
【００１２】
本発明の他の目的は、微細な反応器が温度制御された帯域中を相対移動しながら、かつ、反応時間を容易に制御して、粒径のばらつきの少ないナノ粒子を製造する、ナノ粒子製造方法及びナノ粒子製造装置を提供する。
【００１３】
本発明の更に他の目的は、微細な反応器が温度制御された帯域中を相対移動しながら、かつ、管壁と中間生成物、管壁と生成物との相互作用を絶ちながら複数の原料溶液の混合・反応を行わせる、ナノ粒子製造方法及びナノ粒子製造装置を提供する。
【課題を解決するための手段】
【００１４】
本発明は、前記目的を達成するため、次の手段を採る。
本発明１のナノ粒子製造方法は、代表長さ１μｍ〜１ｍｍの反応器に、ナノ粒子の製造に必要な溶液を供給し、前記溶液が前記反応器に導入された後に前記溶液が静止した状態で、前記反応器が温度制御手段で温度制御された帯域中を移動するように、前記反応器と前記帯域とを搬送手段によって相対的に移動しながら、反応を行わせることを特徴とする。
【００１５】
本発明２のナノ粒子製造方法は、本発明１に記載のナノ粒子製造方法において、前記帯域は、前記反応の開始温度までに加熱して温度制御された加熱帯域と、前記加熱帯域で行われた反応を急冷するための冷却帯域とからなり、前記反応器が前記加熱帯域中を搬送されるように、前記反応器と前記加熱帯域とを前記搬送手段によって相対的に移動しながら、前記反応を行わせた後、前記反応器と前記冷却帯域とを前記搬送手段によって相対的に移動しながら前記反応器を急冷することを特徴とする。
【００１６】
本発明３のナノ粒子製造方法は、本発明１又は２に記載のナノ粒子製造方法において、前記反応器は、前記代表長さの内径を持つ管、前記代表長さの直径を持つ線、前記代表長さの厚さを持つ薄膜、及び前記代表長さの細孔の中から選択される１つの微細空間であることを特徴とする。
【００１７】
本発明４のナノ粒子製造方法は、本発明１から３の中から選択される１発明に記載のナノ粒子製造方法において、前記溶液を前記反応器に供給して前記溶液の２以上の層を形成し、前記反応は前記層間の拡散反応によって行われることを特徴とする。
【００１８】
本発明５のナノ粒子製造方法は、本発明１又は２に記載のナノ粒子製造方法において、前記反応器は、前記代表長さの内径を有する微細流路からなり、前記微細流路に接続された複数の試料供給流路から、前記溶液を、前記複数の試料供給路の断面積の和より小さい断面積の前記微細流路に層流で供給し、前記溶液の前記層流を維持した状態で混合し反応させ、前記微細流路で反応を行わせた後、前記反応後の反応生成物を、前記微細流路と接続された試料排出流路から排出させることを特徴とする。
【００１９】
本発明６のナノ粒子製造装置は、代表長さ１μｍ〜１ｍｍの反応器に、ナノ粒子の製造に必要な溶液を供給するための溶液供給手段と、前記供給を停止させた状態で、前記溶液の反応を行わせるための前記反応器と、前記反応器を加熱又は冷却して温度制御するための温度制御手段と、前記温度制御手段によって温度制御された帯域と、前記反応器とを相対的に移動するための搬送手段とからなることを特徴とする。
【００２０】
本発明７のナノ粒子製造装置は、本発明６に記載のナノ粒子製造装置において、前記帯域は、前記反応の開始温度までに前記反応器を加熱するための加熱帯域と、前記加熱帯域で行われた反応を急冷するための冷却帯域とからなり、
前記搬送手段は、前記加熱帯域中を移動しながら反応を行わせた後、前記冷却帯域中を相対的に移動しながら急冷するように、前記反応器を前記加熱帯域と前記冷却帯域を交互に移動しながら反応を行わせることを特徴とする。
【００２１】
本発明８のナノ粒子製造装置は、本発明６又は７に記載のナノ粒子製造装置において、前記反応器は、前記代表長さの内径を持つ管、前記代表長さの直径を持つ線、前記代表長さの厚さを持つ薄膜、及び前記代表長さの細孔の中から選択される１つの微細空間であることを特徴とするナノ粒子製造装置。
【００２２】
本発明９のナノ粒子製造装置は、本発明６又は７に記載のナノ粒子製造装置において、前記溶液は、前記溶液供給手段から前記反応器に、２以上の層を形成するように供給され、前記反応は前記層間の拡散反応によって行われることを特徴とする。
【００２３】
本発明１０のナノ粒子製造装置は、本発明６又は７に記載のナノ粒子製造装置において、前記反応器は、前記代表長さの内径の微細流路からなり、ナノ粒子の製造に必要な３種類以上の前記溶液を層流で供給するため複数の試料供給流路と、前記試料供給流路に接続され、前記複数の試料供給路の断面積の和より小さい断面積を有する前記微細流路と、前記微細流路で反応が行われた後、前記反応後の反応生成物を排出させるために前記微細流路と接続された試料排出流路とからなることを特徴とする。
【００２４】
本発明１１のナノ粒子製造装置は、本発明１０に記載のナノ粒子製造装置において、前記試料供給流路はキャピラリからなり、前記微細流路に接続されていない前記キャピラリの一端にはシリンジコネクタが接続されていて、前記搬送中において、前記シリンジコネクタから前記溶液を前記キャピラリに供給して、前記微細流路内の反応を２次元的に制御することを特徴とする。
【００２５】
本発明のナノ粒子製造装置は、反応溶液を内蔵又は付着し、その反応を行うためのマイクロリアクタを搬送部により搬送させてナノ粒子を製造するための装置である。本発明のナノ粒子製造装置は、マイクロリアクタを反応最適温度までに加熱し、反応後冷却するための温度制御部を有する。本発明のナノ粒子製造装置は、マイクロリアクタと温度制御部とを相対的に搬送し、温度制御部を通過させながら反応溶液に反応を行わせて、ナノ粒子を製造する。
【００２６】
マイクロリアクタとしては、１μｍから１ｍｍの代表長さを持つ反応器が利用される。例えば、１μｍから１ｍｍの代表長さの直径を持つ微細流路等を利用する。マイクロリアクタに反応溶液を供給して停止させて、反応溶液を内蔵又は付着したマイクロリアクタを搬送部により搬送させてナノ粒子を製造する。マイクロリアクタ中の反応溶液は、マイクロリアクタに対して移動しないために、マイクロリアクタと反応溶液の相対的な移動速度が０になる。このために、相対的な移動速度が０ではない場合、つまり、管内を反応溶液が流通するような場合に生じる、流れと垂直な方向に生じる流速分布が生じない。
【００２７】
このために、反応溶液の滞留時間分布が生じずにより均一な反応時間分布が得られるので、ナノ粒子の粒度分布をより均一に抑えることができる。マイクロリアクタと温度制御部とを相対的に搬送するとは、マイクロリアクタの一部を温度制御部が加熱しながら、温度制御部を固定してマイクロリアクタを搬送させることである。また、逆にマイクロリアクタを固定して温度制御部を搬送させること、更に、マイクロリアクタと温度制御部をそれぞれ異なる速度で搬送することを示す。
【００２８】
本発明のナノ粒子製造装置は、反応溶液がマイクロリアクタの微細流路内で管壁と反応溶液との摩擦により、流速分布が生じないように、マイクロリアクタごとに搬送して反応を行わせる。又は、マイクロリアクタを停止させて温度制御部を移動させて同様の反応を行わせることもできる。マイクロリアクタを搬送部によって、複数の加熱部又は冷却部からなる温度制御部を巡回しながらマイクロリアクタに複数の溶液を供給しながら反応を行わせる。搬送部は、マイクロリアクタを把持するための把持部を有することも可能である。
【発明の効果】
【００２９】
本発明によると、次の効果が奏される。
本発明は、微細流路等の微細な反応器と温度制御された帯域とを、相対移動することにより、ナノ粒子を製造することが可能になった。
本発明は、微細流路が加熱されるとき、微細流路への反応溶液の供給を停止するように制御することにより、微細流路内に反応溶液の流速分布が生じないため、粒径のばらつきの少ないナノ粒子を製造することが可能になった。
【００３０】
本発明は、反応溶液が充満された微細流路と温度制御された帯域とを、相対移動させながら、ナノ粒子を製造しているので、管壁と中間生成物、管壁と生成物との相互作用を絶ちながら複数の反応溶液を混合・反応を行わせることが可能になった。
【発明を実施するための最良の形態】
【００３１】
次に、本発明の実施の形態１を添付図面を用いて説明する。図１には、本発明の実施の形態１のナノ粒子製造装置１０の概要を図示している。ナノ粒子製造装置１０は、マイクロリアクタ１と、マイクロリアクタ１を把持又は吊下するための把持器具１１と、マイクロリアクタ１を把持した把持器具１１を搬送するための搬送路１２、マイクロリアクタ１を加熱又は冷却するための温度制御部１３等から構成される。また、後述するように、把持器具１１は、搬送路１２上を移動して、マイクロリアクタ１を温度制御部１３間で移送する。
【００３２】
マイクロリアクタ１は、反応溶液を内蔵し、その反応を行いナノ粒子を生成するためのものである。マイクロリアクタ１は、反応を行わせるための微細流路３（図２参照）と、微細流路３に溶液を供給する供給部と、反応後の液体とナノ粒子を取り出すための排出管４を有するものである。供給部は、本例では、キャピラリ管２とシリンジコネクタ５、シリンジ６、エアーポンプ７等からなる。図２は、実施の形態１のマイクロリアクタ１及び把持器具１１を示す概略図である。把持器具１１は、マイクロリアクタ１を把持又は固定する把持器具である。
【００３３】
搬送路１２は、マイクロリアクタ１を把持した把持器具１１を搬送するためのものである。図１は、搬送路１２の一部だけを図示したものであり、その搬送路１２は環状の閉じた構造である。即ち、搬送路１２は、マイクロリアクタ１を搬送して温度制御部１３を通過し、ナノ粒子を製造後に元の位置に戻す循環搬送路を構成する。この搬送路１２は、マイクロリアクタ１を供給する供給路、及びナノ粒子を生成した後にマイクロリアクタ１を排出する排出路等から構成される（図示せず）。これらの詳細な構造は、本発明の要旨ではないのでその説明は省略する。結局、搬送路１２と把持器具１１は、マイクロリアクタ１の搬送手段を構成する。
【００３４】
搬送路１２は、把持器具１１を搬送路１２上で搬送するための各種の搬送機構、及びその駆動手段を備えている。搬送機構は、案内レール、ベルト又はチェーン等の搬送機構（図示せず）、及びそれを駆動するためのモータ、油圧機器等の駆動手段（図示せず）、及びこれらを制御する搬送制御装置を備えている。搬送制御装置は、マイクロリアクタ１を所望のオイルバス１５の位置に停止させる機能を備えている。
【００３５】
温度制御部１３は、マイクロリアクタ１を加熱又は冷却するためのものである。温度制御部１３は、マイクロリアクタ１の中に複数の溶液が注入されて反応するために必要な最適温度を有する環境を作るものである。温度制御部１３は、図１に図示するようにマイクロリアクタ１の全体、又は一部を加熱若しくは冷却するための複数のオイルバス１５や空気等からなる。なお、マイクロリアクタ１の温度制御、その温度分布が適切に制御できれば、本例のようにオイルバス１５に限らない。例えば、この温度制御部１３は、他に電磁波式の照射器、レーザ照射器、熱風又は冷風を吹き出す温風機、又は冷風機であっても良い。
【００３６】
本例の温度制御部１３のオイルバス１５は、加熱手段であるが冷却手段であっても良い。温度制御部１３の冷却手段としては、自然放冷、空冷、水冷、油冷等により行うことができ、このための装置としては、一般に冷凍機を備えた冷却装置の中から任意に選んでシステムに組み込んで使用する。また、温度制御部１３は、小型の発熱素子、ペルチェ素子などを微細流路３の周囲に配置して、局部的に加熱又は冷却するものであっても良い。
【００３７】
本発明の実施の形態１の温度制御部１３は、加熱用のオイルが入った複数のオイルバス１５と、その温度を測定するための温度測定器１６と、オイルバス１５内の油温、水位等を制御する制御機構１７等から構成されている。温度制御部１３は、オイルバス１５の中に入れて反応を行わせたマイクロリアクタ１をオイルバス１５から取り出して急冷するための急冷部を有する。この急冷部は、オイル、水等の冷却された熱媒体であっても良いが、例えば、室温で温度制御されている大気であっても良い。
【００３８】
〔全体の動作〕
マイクロリアクタ１は、図１及び４に示すように把持器具１１に把持されている。把持器具１１は、マイクロリアクタ１を把持したままで搬送路１２によって搬送されて、温度制御部１３に到着する。搬送路１２上で搬送される把持器具１１の搬送方向は、矢印Ａで示される方向である（図１参照）。把持器具１１は、その進行方向の最初のオイルバス１５の上の位置に移送されて停止する。
【００３９】
そして、把持器具１１を駆動することにより、マイクロリアクタ１は下降し、マイクロリアクタ１の全部又は一部をオイルバス１５の中に浸漬して反応最適温度まで加熱する。反応最適温度まで加熱されたマイクロリアクタ１においては、マイクロリアクタ１に内蔵又は付着している反応溶液がその反応が加速されてナノ粒子を生成する。把持器具１１の下降、上昇については、下述の把持器具１１の説明の部分（図２参照）で詳しく説明するため、ここでは省略する。
【００４０】
溶液の反応に必要な所定時間が経過すると、把持器具１１は、上昇し、室温で急冷されながら、再び搬送路１２によって次のオイルバス１５まで搬送される。上述したものと同様にマイクロリアクタ１をオイルバス１５の中に入れて加熱する。このようにマイクロリアクタ１の中のナノ粒子の生成に必要なすべての温度制御が終わったら、マイクロリアクタ１を把持した把持器具１１は温度制御部１３から出る。把持器具１１は、生成したナノ粒子を取り出すために次の工程に進む。
【００４１】
オイルバス１５に浸漬して加熱するときの加熱速度は、粒子の析出速度と比較して十分に高い必要がある。具体的には、この加熱速度は、０．０１秒〜１秒、好ましくは、０．０１秒以上０．３秒以下の時間で、マイクロリアクタ１の加熱される部分を全て加熱帯域に置くことが望ましい。
【００４２】
〔マイクロリアクタ１〕
図２には、実施の形態１のマイクロリアクタ１の構造の概要を図示している。マイクロリアクタ１は、複数の溶液を整流して微細流路３に送り込むための供給部、これらの複数の溶液が層流状態で混合されて化学反応が行われる微細流路３、反応後の反応生成物と反応残留溶液を排出するための排出管４等から構成されるマイクロリアクタである。マイクロリアクタ１は、複数の溶液を層流状態で微細流路３内で混合させて化学反応を行わせたり、また、層流状態でそのまま排出管４内に流れながら化学反応を行わせたりすることができる。
【００４３】
供給部は、本例では複数のキャピラリ管２、シリンジコネクタ５、シリンジ６、エアーポンプ７等からなる。キャピラリ管２の一端は微細流路３に接続され、その他端はシリンジコネクタ５に接続されている。シリンジコネクタ５には、溶液を供給するためのシリンジ６が接続されている。溶液は、シリンジ６からキャピラリ管２に供給され、微細流路３に送られて微細流路３内で層状の状態で混合され、化学反応が行われる。本実施の形態１のキャピラリ管２は、その内孔の直径は１μｍ〜１ｍｍである。
【００４４】
キャピラリ管２と微細流路３の接合は、特に方法を問わないが、反応に影響を与えない接着剤や、高温の反応に耐えうる耐熱接着剤等を用いることができる。マイクロリアクタ１は、溶液の注入量を調整するためのエアーポンプ７を備えている。各エアーポンプ７を動作させてキャピラリ管２へ注入される溶液の注入量、即ち単位時間当たりの注入速度を調整する。微細流路３の一端面には、複数のキャピラリ管２がそれぞれ接続されている。
【００４５】
図２に示す例では、３本のキャピラリ管２を図示している。キャピラリ管２は、反応に必要な溶液の種類、数によって、その本数を変更することが可能である。例えば、反応溶液を全て混合して微細流路３に注入する場合は、１本のキャピラリ管２でも良い。また、反応溶液を別々のキャピラリ管２から注入する場合は、反応溶液の本数だけのキャピラリ管２を備えても良い。
【００４６】
微細流路３の他端には、排出管４の一端が固定されている。微細流路３の内孔の内径は、１μｍ〜１ｍｍの範囲にすることが好ましい。このように内径を小さくすると、この微細流路３を通る溶液の表面積に対する体積の割合が小さくなり、加熱により外部から与えられる熱を短時間で均一に全体に伝えることができる。よって、反応の加熱制御が容易になる利点を有する。また、微細流路３の内径が１μｍよりも小さくなると、製造装置としては取り扱いにくくなる上に、操作時に装置内の圧力損失が大きくなり、生産効率が低下する。
【００４７】
原料溶液の層厚は、原料溶液を流す細管の選択によっても制御可能だが、流量比により変化させることが可能である。ある細管からの流量を、他の細管の流量より遅く流すと、その膜厚は薄くなり、逆に流量を上げると太くなる。排出管４を通って大気中に取り出された反応生成物及び反応残留溶液は、捕集器（図示せず）等に捕集される。微細流路３は、オイルバス等から構成される加熱帯域を通過する際、反応開始温度まで急熱され、反応が行われる。
【００４８】
キャピラリ管２から別々の溶液がそれぞれ供給され、微細流路３内で混合されて層流を維持しながら通過して反応を起こし、排出管４に導かれる。このとき、微細流路３内では、各溶液の流れは層流である。各溶液の流れが層流であるために基本的には隣り合う層流間にしか化学反応が行われない。キャピラリ管２、微細流路３の材料としては、ガラス、金属、合金、プラスチック例えばポリオレフィン、ポリ塩化ビニル、ポリアミド、ポリエステル、フッ素樹脂、ポリイミド樹脂などを用いることができる。
【００４９】
また、微細流路３としては、断面が円形の内孔を有したチューブ状の形状を持つものや、金属や合金のような耐熱性基板上に、シリカ、アルミナ、チタニアのような金属酸化物、又はフッ素樹脂、ポリイミド樹脂のような耐熱性プラスチックの層を設け、それに幅１μｍ〜１ｍｍの溝をレーザ加工、腐食等により刻設したものを用いることもできる。
【００５０】
前述した実施の形態では、温度制御部１３に加熱、又は冷却手段を配置しているが、移動するマイクロリアクタ１に、反応溶液を最適な反応温度まで加熱するための加熱手段と反応後に冷却するための冷却手段とを設けることもできる。加熱手段としては、オイルのような加熱媒体液を用いるもの、ヒートプレート、電気炉、赤外線、加熱器、高周波加熱器、レーザー光の照射による加熱等通常の加熱に際し慣用されている手段の中から適宜選んで用いることもできる。これらの加熱は、マイクロリアクタ１を移動させる方法、又はこれらの加熱手段をどちら河相対的に移動させるか何れかであっても良い。
【００５１】
〔温度制御部１３〕
図１には、温度制御部１３の例の概要を図示している。温度制御部１３は、オイルバス１５と、その中に入っていて反応最適温度までに加熱されたオイルからなる。また、オイルバス１５は、オイルを反応最適温度まで加熱するための加熱機構（図示せず）と、オイルの温度を測定するための温度測定器１６、加熱機構の動作を制御するための制御機構１７を備えている。
【００５２】
制御機構１７は、オイルバス１５に充分なオイルが入っているかを液体測定機構（図示せず）によって測定し、足りないときはオイル供給機構（図示せず）によって供給する機能を有する。制御機構１７は、温度測定器１６によってオイルの温度を測定しながら反応最適温度になるように、加熱機構を制御してオイルを加熱する。温度制御部１３は、オイルバス１５の中に入れて反応を行わせたマイクロリアクタ１をオイルバス１５から大気中に取り出して急冷するための急冷部を有する。この急冷部は、例えば、熱媒体として温度制御された大気であっても良い。
【００５３】
〔把持器具１１〕
図２は、把持器具１１の概要を図示している。把持器具１１は、２本の支持軸２３、この端部に設けられた車輪、シリンダ機構からなる上下移送機構２０、ピストンロッド２１、ピストンロッド２１に固定された把持部２２等から構成されている。車輪は、搬送路１２上を転動して走行し、把持器具１１の全体を搬送するためのものである。搬送路１２上での把持器具１１の搬送のための駆動機構は、チェーン、ベルト等の駆動機構である（図示せず）。この駆動機構は、所望の位置に停止させることができる。把持部２２は、マイクロリアクタ１を把持して固定するためのものである。把持部２２は、マイクロリアクタ１を着脱自在に把持する着脱機構を備えている（図示せず）。ただし、また、把持部２２はマイクロリアクタ１をつけたまま交換可能であっても良い。上下移送機構２０は、ピストンロッド２１によって把持部２２と連結され、把持部２２を上下に駆動するためのものである。
【００５４】
マイクロリアクタ１は、溶液の注入量を調整するためのエアーポンプ７を備えている。このエアーポンプ７は、マイクロリアクタ１への溶液の注入量を調整できるものであればどのような構造のものでも良い。このエアーポンプ７は公知技術であり、その詳細な説明は省略する。把持器具１１は、オイルバス１５の上に来ると、上下移送機構２０が動作し、マイクロリアクタ１を把持した把持部２２を下降させてオイルバス１５の中に入れる。
【００５５】
所定時間が経つと、上下移送機構２０が再び動作し、マイクロリアクタ１を把持した把持部２２を上昇させてオイルバス１５の中から取り出す。把持部２２が下方に伸びて、マイクロリアクタ１がオイルバス１５のオイルの中に挿入されると急速に加熱される。把持部２２が上方に上昇され、マイクロリアクタ１はオイルバス１５から大気中に出ると急速に冷却される。このように反応溶液を内蔵したマイクロリアクタ１は、急速に加熱され、急速に冷却されて反応温度が制御されることになる。
【００５６】
把持器具１１の移送速度、把持部２２の下降又は上昇するスピードを制御することで、反応の温度制御は任意にできる。反応溶液を内蔵したマイクロリアクタ１が温度制御部１３の中を移動しているので、従来のように反応溶液の乱流を抑制することができ、生成されたナノ粒子の粒度を均一にすることができ、生成ナノ粒子の品質向上が可能である。
【００５７】
マイクロリアクタ１は、次のように巡回動作することができる。エアーポンプ７によって溶液が微細流路３に充満されるまでに溶液を注入して停止する。溶液が注入された微細流路３を、搬送路１２と上下移送機構２０によって、オイルバス１５と大気を交互に移動しながら溶液を反応させナノ粒子を生成する。
【００５８】
微細流路３が温度制御部１３から出ると、エアーポンプ７によって微細流路３に新しい溶液を注入して反応後の溶液を排出する。新しく溶液が充満された微細流路３を搬送路１２と上下移送機構２０によって、オイルバス１５と大気を交互に移動させながら溶液を反応させナノ粒子を生成する。この場合は、前述したように搬送路１２はオイルバス１５を巡回するための環状機構である。
【００５９】
［実施の形態２］
次に、本発明の実施の形態２を説明する。図３には、本発明のナノ粒子製造装置３０の概要を図示している。ナノ粒子製造装置３０は、反応器３１、搬送部、温度制御部から構成される。反応器３１は、細長い線状のものである。ナノ粒子製造装置３０は、更に、反応器３１に反応溶液を供給するための供給機構（図示せず）、反応後、生成されたナノ粒子を含有する反応残留液を排出ための排出機構（図示せず）を備えていることが望ましい。
【００６０】
搬送部は、反応器３１を把持し、反応器３１を連続的に流すための把持器具３２、反応器３１を搬送するための複数の滑車３３からなる。搬送部は、反応機３１を一定時間の間に停止させる制御機構を備えるものが好ましい。搬送部は、供給機構、排出機構を把持して固定するための器具（図示せず）を備えることも可能である。温度制御部は、反応器３１を加熱するための加熱部（図示せず）を備えている。反応器３１は、把持器具３２から矢印Ｂで示す方向に連続的に搬送されて、複数の滑車３３を経て搬送される。この流れの途中は、加熱部によって加熱された加熱帯域３４を通過する。
【００６１】
温度制御部は、加熱部で加熱された反応器３１を冷却するための冷却部（図示せず）を有する。温度制御部は、反応器３１が搬送される環境に、適切な温度分布をもたせることで、反応溶液の加熱・冷却プロファイルを設計・制御できる。冷却部は、例えば、室温で温度制御されている大気であっても良い。温度制御部は、加熱部、冷却部の温度を測定するための温度測定器（図示せず）、加熱部の加熱時間、又は冷却部の冷却時間等を測定し、その制御を行うための時間測定器（図示せず）を備えることが可能である。
【００６２】
搬送部は、反応器３１と温度制御部を相対的に搬送する。つまり、温度制御部を停止させた状態で、搬送部は反応器３１を搬送し、加熱帯域３４を通過するようにすることができる。また、反応器３１を停止させた状態で、搬送部は温度制御部を搬送し、加熱帯域３４を反応器３１が通過するようにすることができる。更に、搬送部は、温度制御部と反応器３１とを別々の搬送速度で搬送し、加熱帯域３４を反応器３１が通過するようにすることができる。
【００６３】
時間測定器は、搬送部と連動して、加熱時間、冷却時間の制御を行うことが可能である。例えば、加熱部が反応器３１の一部を所定時間の間に加熱し、溶液に反応を行わせ、加熱を停止する。反応器３１の一部で加熱帯域３４に配置されている部分が加熱されて、溶液の反応が行われる。加熱部の加熱が停止すると、反応器３１は大気によって冷却される。その後、反応器３１を搬送部によって送り込み、反応器３１の新しい部分を加熱帯域３４に配置する。このように、反応器３１を順番に送り込みながら、反応溶液に反応を行わせる。
【００６４】
供給機構は、実施の形態１に示した供給部と同様のものを用いることができる。反応器３１は、実施の形態１に示した微細流路３と同様で、長い細管を用いる。更に、搬送部は、供給機構、反応器３１、把持器具３２、及び滑車３３を全部搬送するための搬送路３５を有することが好ましい。このような搬送路３５は、反応器３１と供給機構を取替えたりするときに有用である。更に、温度制御部の加熱部は、オイルバス等の場合は、搬送路３５によって反応器３１と滑車３３をオイルバス等に入れたり出したりして制御を行うときに有用である。
【００６５】
反応溶液の排出は、管内の流れが層流となる状態で排出することが望ましい。排出時の流れが層流であると、排出される際に、排出機構の排出口から近いところから順次排出されるため、加熱初期や終了時等、加熱状態が不均一な部分が生じた場合は、排出時に分離することができる。反応器としては、上述の細管の他に、次のものを用いることができる。例えば、反応器としては、反応に関与しない材質からなる細線や、反応に関与しない材質からなる多孔体等を用いることが可能である。また、反応器としては、反応に関与しない材質であり、しかも反応溶液を溶解させても固体状態を保つ高分子等の材料に溶解させたものを用いることが可能である。
【００６６】
反応器として細線を用いる場合は、細線の表面に反応溶液を薄く、例えば１ｍｍまでの厚さで、付着させることで、赤外線イメージ炉等のような適切な方法により加熱することが可能である。反応後は、細線の内の適切な部分を洗い流すことで、生成された微粒子を含む溶液を得ることが可能である。また、反応器として多孔体や高分子等を用いる場合は、その孔内に反応溶液を含浸、又は溶解させたのち、赤外線イメージ炉等のような適切な方法により加熱することが可能である。多孔体の場合は、反応後は、適切な多孔体部分を洗浄、又は多孔体を溶解させることで、生成された微粒子を含む溶液を得ることが可能である。反応器として高分子等に溶解させた場合は、反応後は、その高分子等の固体材料を溶解させることにより、生成された微粒子を含む溶液を得ることが可能である。
【００６７】
［実施の形態３］
本発明のナノ粒子製造装置の実施の形態３を説明する。本発明のナノ粒子製造装置の実施の形態１と基本的には同一の構造で、同じ動作をするものであり、マイクロリアクタ１の代わりに下述のマイクロリアクタ１９を用いている。ここでは、前述の本発明のナノ粒子製造装置の実施の形態１と異なる部分の説明を行う。
【００６８】
〔細管型のマイクロリアクタ１９〕
図４のマイクロリアクタ１９は、複数の溶液を整流して微細流路３に送り込むための複数のキャピラリ管２、これらの複数の溶液が層流状態で混合されて化学反応が行われる微細流路３、反応後の反応生成物と反応残留溶液を排出するための排出管４等から構成される細管型のマイクロリアクタである。微細流路３の一端面には、複数のキャピラリ管２がそれぞれ接続されている。微細流路３の概略の形状は徐後漏斗状の円錐体であり、その底面に複数のキャピラリ管２が接続されている。キャピラリ管２の中心軸線は、互いに平行になるように配置されている。微細流路３の他端である頂部には、排出管４の一端が固定されている。本実施の形態３の微細流路３の底面の直径は３．５ｍｍ、高さは１ｍｍ、頂部の直径は０．５ｍｍである。
【００６９】
微細流路３の頂部は、その断面は径１μｍ〜１ｍｍの範囲にすることが好ましい。このように直径を小さくするとこの微細流路３を通る溶液の表面積に対する体積の割合が小さくなり、加熱により外部から与えられる熱を短時間で均一に全体に伝えることができる。よって、反応の加熱制御が容易になる利点を有する。また、室温での反応であれば、基本的にレイノルズ数が２１００以下の層流域であればかまわない。しかし、この場合も、拡散混合による混合効率の観点から、微細流路３内に生じる流れの１ユニットの直径が１５０μｍ以下であることが望ましい。
【００７０】
一般的には、線状の管内に溶液を注入して比較的に低流速で流すと、溶液が管軸線に平行な線となって流れるものが層流である。管内の流速が大きくなると、溶液の流速は局所的に不規則な流速となり、層流から乱流となる。この乱流は、反応溶液と管内壁との摩擦により生じる反応溶液の流速分布のばらつきであると考えられる。乱流によるバックミキシングは溶液の反応時間のばらつきを起こし、反応生成物の粒度分布を狭くすることが困難になる原因になる。
【００７１】
従って、本実施の形態３の微細流路３内の溶液の流れは層流であり、隣接して層流する各溶液間の拡散によって化学反応が行われてナノ粒子を生成する。そのためには、微細流路３内に乱流を起こさない程度の流速制御が重要である。この流速制御は、微細流路３内を流れる液体の慣性力と粘性力の比によって表されるパラメータであるレイノルズ数で表し、定量的に取り扱うことができる。
【００７２】
このレイノルズ数Ｒｅは、微細流路３の管径、それを流れる液体の流速と粘度によって次の式で表される。
Ｒｅ＝ＶＬ／ν                              …（式１）
ただし、Ｖ[ｍ／ｓ]は流体の代表速度、Ｌ［ｍ］は管径、ν［ｍ２／ｓ］は動粘性係数である。
【００７３】
微細流路３内の溶液の注入流速は、微細流路３内のレイノルズ数（Ｒｅ）が２１００以下の層流域であることが望ましい。また、一般に溶液の粘度、流速、温度によって異なるが、微細流路３内のレイノルズ数が２１００を超えると、乱流によるバックミキシングが大きくなるため、粒度分布を狭くすることが困難になる。また、管径が１μｍよりも小さくなると、製造装置としては取り扱いにくくなる上に、操作時に装置内の圧力損失が大きくなり、生産効率が低下する。
【００７４】
層流下の溶液の拡散による混合速度は、次のペクレ数Ｐｅを用いて求めることができる。
Ｐｅ＝Ｄｔ／Ｌ２                            …（式２）
ただし、Ｄ[ｍ２／s]は拡散係数、ｔ[s]は時間、Ｌ[ｍ]は拡散のための長さ（管径）である。
【００７５】
完全混合するためには、ペクレ数Ｐｅが１になることが条件であり、時間ｔが
ｔ＜Ｌ２／Ｄ                                …（式３）
の時間で完全に混合する。また、拡散係数Ｄは、次のストークス−アインシュタインの式で大まかに計算可能である。
Ｄ＝ｋＴ／（６πηα）                      …（式４）
ただし、ｋ[Ｊ／Ｋ]はボルツマン定数、Ｔ[Ｋ]は絶対温度、η[Ｐａ・ｓ]は粘性係数、α[ｍ]は粒子径である。
【００７６】
式４においては、拡散係数Ｄは粒径αに反比例する。例えば、水中の（粒子径α＝）０．３ｎｍの大きさの分子の拡散係数Ｄは、約１０−９ｍ２／ｓになる。（粒子径α＝）３ｎｍのときは、拡散係数Ｄは１０−１０ｍ２／ｓになる。これから、２秒で完全混合させるための層幅は、０．３ｎｍの際には３０μｍ、３ｎｍの際には１０μｍになる。よって、低分子（大きさ０．３ｎｍ程度）の場合には、１０秒以下で完結する反応に関しては、３０μｍ以下の層厚であることが望ましい。
【００７７】
原料溶液の層厚は、原料溶液を流す細管の選択によっても制御可能だが、流量比により変化させることが可能である。ある細管からの流量を、他の細管の流量より遅く流すと、その膜厚は薄くなり、逆に流量を上げると太くなる。微細流路３内で複数の溶液の反応が行われ、反応生成物及び反応残留溶液は排出管４を通って大気中に取り出され、捕集器（図示せず）等に捕集される。
【００７８】
図５は、微細流路３に流れる複数溶液の断面を示す概念図である。この概念図から明らかなように、複数のキャピラリ管２から微細流路３に流される溶液は、微細流路３の底面に供給された状態のままで、複数のキャピラリ管２と同様に配置された層流となり２次元的な配置となる。図４に示す断面図は、キャピラリ管２を順番に１〜１４までに番号を付けて表している。
【００７９】
キャピラリ管２から別々の溶液がそれぞれ供給され、微細流路３内で混合されて層流を維持しながら通過して反応を起こし、排出管４に導かれる。このとき、微細流路３内では、各溶液の流れは層流である。各溶液の流れが層流であるために基本的には隣り合う層流間でしか化学反応は起きない。
【００８０】
微細流路３の断面図にあるパターンを形成するようにキャピラリ管２に溶液を供給して、化学反応を制御することが可能である。例えば、微細流路３の断面図に示す３、１３、８、１０番のキャピラリ管２に前駆体含有溶液、その他のキャピラリ管２に前駆体を含まない溶液を供給することが可能である。把持器具１１は、前述した実施の形態と実質的に同一であり、その説明は省略する。
【実施例１】
【００８１】
次に、実施例１により本発明をさらに詳細に説明するが、本発明はこれらの例によって何ら限定されるものではない。本実施例１では、一本のガラスキャピラリーをマイクロリアクタとして用いた。ガラスキャピラリーの内径は、０．２ｍｍである。このガラスキャピラリーにステアリン酸カドミウム７０ｇ／ｋｇ、トリオクチルリン酸オキシド３００ｇ／ｋｇ、トリオクチルリン酸セレニド９０ｇ／ｋｇ及びトリオクチルリン酸２８０ｇ／ｋｇ、ステアリン酸２６０ｇ／ｋｇを含む溶液を充填した。
【００８２】
この溶液で充填されたガラスキャピラリーから４０ｃｍの部分が温度２７５℃に保ったオイルバスに浸るようにして、ガラスキャピラリーの片方から引きながらオイルバス中を３０秒間かけて通過させて、ガラスキャピラリー中の溶液を反応させた。ガラスキャピラリーはオイルバスに浸ると急激に加熱されて、ガラスキャピラリー中の溶液の反応が開始した。
【００８３】
ガラスキャピラリーがオイルバスから出ると急激に冷却されて、ガラスキャピラリー中の溶液の反応が停止した。次いで反応混合液を急冷したのち回収し、トルエンに希釈後にＵＶ−ＶＩＳ吸収スペクトルを測定して生成したセレン化カドミウムナノ粒子の粒径を求めた。更に、ＴＥＭ観察により、生成物の粒子径分布を測定した。その結果、平均粒径３．５ｎｍ、変動係数６％のＣｄＳｅナノ粒子を得ることができた。
【００８４】
［比較例１］
次に、本発明の比較例１を説明する。本比較例１では、シリンジエアーポンプ付きのシリンジが接続されたガラスキャピラリーをマイクロリアクタとして用いた。シリンジには、ステアリン酸カドミウム７０ｇ／ｋｇ、トリオクチルリン酸オキシド３００ｇ／ｋｇ、トリオクチルリン酸セレニド９０ｇ／ｋｇ及びトリオクチルリン酸２８０ｇ／ｋｇ、ステアリン酸２６０ｇ／ｋｇを含む溶液を充填した。ガラスキャピラリーの内径は、０．２ｍｍである。
【００８５】
ガラスキャピラリーから４０ｃｍの部分が温度２７５℃に保ったオイルバスに浸るようにした。シリンジエアーポンプを利用してシリンジ内の溶液をキャピラリに導入し、３０秒間かけてオイルバスによる加熱部分を通過させて、ガラスキャピラリー中の溶液を反応させた。ガラスキャピラリー内の溶液は、オイルバスによる加熱部分にさしかかると急激に加熱されて反応を開始し、加熱部分を出ると、空気により急激に冷却されて反応を停止した。
【００８６】
その後、反応後の溶液を回収し、トルエンに希釈後にＵＶ−ＶＩＳ吸収スペクトルを測定して生成したセレン化カドミウムナノ粒子の粒径を求めた。更に、ＴＥＭ観察により、生成物の粒子径分布を測定した。その結果、平均粒径３．５ｎｍ、変動係数１０％のＣｄＳｅナノ粒子が得られた。反応溶液が充填されたガラスキャピラリーをオイルバス中に浸るようにして、オイルバス中を通過させた実施例１と比べ、生成されたＣｄＳｅナノ粒子の粒径の変動係数が大きくなった。
【産業上の利用可能性】
【００８７】
本発明は、新材料開発分野、バイオ技術分野、医療分野に利用すると良い。
【図面の簡単な説明】
【００８８】
【図１】図１は、実施の形態１のナノ粒子製造装置１０の概要を図示した図である。
【図２】図２は、実施の形態１のマイクロリアクタ１の概要を図示した図である。
【図３】図３は、実施の形態２のナノ粒子製造装置３０の概要を図示した図である。
【図４】図４は、実施の形態３のマイクロリアクタ１９の概要を図示した図である。
【図５】図５は、マイクロリアクタ１９の微細流路３を流れる溶液の状態を示した断面図である。
【符号の説明】
【００８９】
１、１９…マイクロリアクタ
２…キャピラリ管
３…微細流路
４…排出管
５…シリンジコネクタ
６…シリンジ
７…エアーポンプ
１０、３０…ナノ粒子製造装置
１１、３２…把持器具
１２…搬送路
１３…温度制御部
１５…オイルバス
１６…温度測定器
１７…制御機構
２０…上下移送機構
２１…ピストンロッド
２２、２５…把持部
２３…支持軸
２６…回収曹
３１…反応器
３３…滑車
３４…加熱帯域
【図１】
2007014849.tif 000003
【図２】
2007014849.tif 000004
【図３】
2007014849.tif 000005
【図４】
2007014849.tif 000006
【図５】
2007014849.tif 000007